(57)【特許請求の範囲】
【請求項１】
管状物品に電気めっきを行うときに、該管状物品の内面に電気めっきを施すために上記管状物品の内部に挿入されて使用される補助電極において、
該補助電極は、線状の可撓性を有する導電体で形成される補助陽極と、該補助陽極に巻き付けられる補助電極スペーサから構成され、
該補助電極スペーサは、非導電性のスペーサ突起部と、複数の該スペーサ突起部を間隔を置いて長手方向に連続して紐状に連結する可撓性のスペーサ連結部から長尺状に形成され、
上記補助電極は、複数の上記補助電極スペーサが、上記補助陽極の周囲に上記スペーサ連結部同士が重なるように巻き付けられるとともに、上記補助電極の先端に、非導電性の補助電極先端ガイドを取付けられたことを特徴とする長尺物の内面めっき用の補助電極。
【請求項２】
上記補助電極スペーサの上記補助電極先端ガイド側の先端は、上記補助電極先端ガイド又は上記補助電極先端ガイドに近接して設けられた締結バンドで固定された請求項１に記載の長尺物の内面めっき用の補助電極。
【請求項３】
上記補助電極先端ガイドの外径は、上記補助電極スペーサが巻き付けられた補助電極の上記補助電極スペーサを含む外径よりも大きく形成された請求項１又は請求項２に記載の長尺物の内面めっき用の補助電極。
【請求項４】
上記補助電極先端ガイドの固定は、上記補助電極先端ガイドと近接した上記スペーサ突起部と上記補助電極先端ガイドとを一体に形成して固定された請求項３に記載の長尺物の内面めっき用の補助電極。
【請求項５】
上記補助電極先端ガイドは、先端側が略球形である請求項１乃至請求項４のいずれか１項に記載の長尺物の内面めっき用の補助電極。
【請求項６】
上記補助電極先端ガイドは、先端側が略多角錐である請求項１乃至請求項４のいずれか１項に記載の長尺物の内面めっき用の補助電極。
【請求項７】
上記補助電極先端ガイドは、先端側が略円錐である請求項１乃至請求項４のいずれか１項に記載の長尺物の内面めっき用の補助電極。
【請求項８】
上記補助電極先端ガイドは、先端側が略楕円体形である請求項１乃至請求項４のいずれか１項に記載の長尺物の内面めっき用の補助電極。
【請求項９】
上記補助電極先端ガイドは、先端側が略円柱形である請求項１乃至請求項４のいずれか１項に記載の長尺物の内面めっき用の補助電極。
【請求項１０】
上記管状物品の内部に上記補助電極が挿入されたときに、上記補助陽極が上記管状物品の内面に接触しないで、且つ上記スペーサ突起部同士が重なり合わない密度で巻き付けられる請求項１乃至請求項９のいずれか１項に記載の長尺物の内面めっき用の補助電極。
【請求項１１】
上記補助電極先端ガイドと上記スペーサ突起部は、非導電性の合成樹脂又はセラミックで形成され、上記スペーサ連結部は非導電性の合成繊維又は合成樹脂で形成された請求項１乃至請求項１０のいずれか１項に記載の長尺物の内面めっき用の補助電極。
【請求項１２】
上記補助陽極は、金属製の多数のワイヤーを編んで形成された請求項１乃至請求項１１のいずれか１項に記載の長尺物の内面めっき用の補助電極。
【発明の詳細な説明】
【技術分野】
【０００１】
本発明は、管状物品の内面に電気めっきを施すために使用される内面めっき用の補助電極に関するものである。特に、屈曲した管状物、例えば自動車のフィラーパイプ等の内面に電気めっきを施すために管状物品の内部に挿入されて使用される内面めっき用の補助電極に関するものである。
【背景技術】
【０００２】
従来、金属製の物品に電気めっきを施すには、めっき槽内のめっき液に電極と被めっき物を浸漬して、電極を陽極、被めっき物を陰極にしてその間に通電して、めっき液中のイオン化した金属を被めっき物に析出させめっきを行っていた。
しかしながら、長尺の管状物品の内面側では、電気の流れが悪く、管状物品の内面へのめっき金属の析出状態はよくなかった。
【０００３】
そのため、図１１に示すように、中空状の被めっき物１２０の内部に補助陽極１１０を挿入し、補助陽極１１０をスペーサ１１１でカバーして補助陽極１１０が被めっき物１２０に接触しないようにするものがある。スペーサ１１１は、めっき液が補助陽極１１０と被めっき物１２０の内面との間で流通し、電流が流れるように孔１１２が多数設けられている（例えば、特許文献１参照。）。
【０００４】
しかしながら、この場合には、被めっき物１２０は直線状に形成されたものを対象としており、複雑に屈曲し、内面に突起等を有する被めっき物１２０は、スペーサ１１１の孔１１２やその周囲の突起に引っかかり、補助陽極１１０とスペーサ１１１の挿入と、取出しがスムースにできなかった。
【０００５】
また、図１２に示すように、中空状の被めっき物２２０の内部に補助陽極２１０を挿入し、補助陽極２１０を複数個の筒体２１１でカバーして補助陽極２１０が被めっき物２２０に接触しないようにするものがある（例えば、特許文献２参照。）。この補助陽極２１０は柔軟性を有し、多数の筒体２１１を隙間なく補助陽極２１０に被せて、多数の筒体２１１が相互に曲がることにより、補助陽極２１０が屈曲可能に形成されている。
【０００６】
この筒体２１１は、図１３に示すように、４枚の枠板２１４と、枠板２１４の間の開口２１２が周面に形成され、筒体２１１の両端は板状の端部２１３が形成され、枠板２１４を保持している。開口２１２によりめっき液が補助陽極２１０に接するように出入することができ、端部２１３の中心には孔が形成され、孔に補助陽極２１０が挿入されている。枠板２１４の先端が中空状の被めっき物２２０の内面と接触し、補助陽極２１０を被めっき物２２０の内部の中心位置に保持している。端部２１３は、隣接する筒体２１１の端部２１３と当接し、筒体２１１は互いに屈曲可能に補助陽極２１０に取付けられているため、補助陽極２１０は、被めっき物２２０の屈曲に対応して屈曲することができる。
【０００７】
しかしながら、この場合には、中空状の被めっき物２２０の内面との接触面積を減らすためと、補助陽極２１０付近のめっき液の循環を良くする為に、枠板２１４の肉厚を薄く形成しているため、枠板２１４が変形し易い。枠板２１４が変形すると、筒体２１１の内部で補助陽極２１０の位置が所定位置からずれて、被めっき物２２０の内面のめっきの付き具合いがばらつくことになる。
【０００８】
そして、補助陽極２１０の先端には、ストッパ２１８が取付けられて、筒体２１１が補助陽極２１０から外れないようにしている。しかしながら、このストッパ２１８は、図１２に示すように、屈曲した被めっき物２２０であるフィラーパイプに挿入された場合には、筒体２１１の端部２１３や枠板２１４が被めっき物のエッジ部分が引っ掛かり、補助陽極を被めっき物の内部に挿入あるいは取り出す作業に手間がかかることとなる。
【０００９】
また、図１４に示すように、補助電極スペーサ３１２として、断面形状が円形のスペーサ突起部３１４を紐状のスペーサ連結部３１３で連結するものがある（例えば、特許文献３参照。）。
この補助電極スペーサ３１２においても、屈曲した被めっき物２２０であるフィラーパイプに挿入された場合には、スペーサ突起部３１４とスペーサ突起部３１４の間に被めっき物のエッジ部分が引っ掛かり、補助陽極を被めっき物の内部に挿入あるいは取り出す作業に手間がかかることとなる。
【先行技術文献】
【特許文献】
【００１０】
【特許文献１】特開２００７−３９７７９号公報
【特許文献２】特許第３０８１５５８号公報
【特許文献３】特開２０１１−２３６５００号公報
【発明の概要】
【発明が解決しようとする課題】
【００１１】
そのため、本発明は、屈曲した管状物品にも挿入が容易な長尺物の内面めっき用の補助電極を提供することを課題とする。
【課題を解決するための手段】
【００１２】
上記課題を解決するための請求項１の本発明は、管状物品に電気めっきを行うときに、管状物品の内面に電気めっきを施すために管状物品の内部に挿入されて使用される補助電極において、
補助電極は、線状の可撓性を有する導電体で形成される補助陽極と、補助陽極に巻き付けられる補助電極スペーサから構成され、
補助電極スペーサは、非導電性のスペーサ突起部と、複数のスペーサ突起部を間隔を置いて長手方向に連続して紐状に連結する可撓性のスペーサ連結部から長尺状に形成され、
補助電極は、複数の補助電極スペーサが、補助陽極の周囲にスペーサ連結部同士が重なるように巻き付けられるとともに、補助電極の先端に、非導電性の補助電極先端ガイドを取付けることを特徴とする長尺物の内面めっき用の補助電極である。
【００１３】
請求項１の本発明では、補助電極は、線状の可撓性を有する導電体で形成される補助陽極と、補助陽極に巻き付けられる補助電極スペーサから構成されるため、屈曲部を有する管状物品の内部に挿入して、管状物品の形状に応じて補助電極を沿わせることができ、補助電極スペーサは補助陽極が管状物品の内面に接触することを防止して、管状物品の内面に確実にめっきを施すことができる。
【００１４】
補助電極スペーサは、非導電性のスペーサ突起部と、複数のスペーサ突起部を間隔を置いて長手方向に連続して紐状に連結する可撓性のスペーサ連結部から長尺状に形成される。このため、補助電極が管状物品の内部に挿入されたときに、非導電性のスペーサ突起部が管状物品の内面に当接して、補助陽極が管状物品の内面に接触することを防止するとともに、スペーサ突起部の表面が管状物品の内面に対して摺動しやすく、補助電極を管状物品に挿入と引き抜きをする作業が容易である。
【００１５】
補助電極は、複数の補助電極スペーサが、補助陽極の周囲にスペーサ連結部同士が重なるように巻き付けられる。このため、スペーサ連結部同士が網目状に重なり合って、スペーサ突起部がその重なりを乗り越えて移動することがなく、補助電極の挿入時に大きくずれないようにすることができ、スペーサ突起部を所定の間隔で保持して、補助陽極が管状物品の内面に接触しないようにすることができる。
【００１６】
補助電極の先端に、非導電性の補助電極先端ガイドを取付ける。このため、補助電極を屈曲した被めっき物であるフィラーパイプ等に挿入した場合には、補助電極先端ガイドが被めっき物のエッジ部分に当接しつつ補助電極を奥へ案内して、補助電極先端ガイドが、スペーサ突起部を被めっき物のエッジ部分から離して、引っ掛かることがない。このため、補助陽極を被めっき物の内部に挿入あるいは取り出す作業が容易となる。
【００１７】
請求項２の本発明は、補助電極スペーサの補助電極先端ガイド側の先端は、補助電極先端ガイド又は補助電極先端ガイドに近接して設けられた締結バンドで固定された長尺物の内面めっき用の補助電極である。
【００１８】
請求項２の本発明では、補助電極スペーサの補助電極先端ガイド側の先端は、補助電極先端ガイド又は補助電極先端ガイドに近接して設けられた締結バンドで固定された。このため、補助電極スペーサの先端部分は、補助電極先端ガイドで固定されるか、又は補助電極先端ガイドに近接した部分で固定されて、補助電極スペーサの先端が補助陽極からほつれることがなく、補助電極先端ガイドが管状物品内を移動することを妨げることがない。
【００１９】
請求項３の本発明は、補助電極先端ガイドの外径は、補助電極スペーサが巻き付けられた補助電極の補助電極スペーサを含む外径よりも大きく形成された長尺物の内面めっき用の補助電極である。
【００２０】
請求項３の本発明では、補助電極先端ガイドの外径は、補助電極スペーサが巻き付けられた補助電極の補助電極スペーサを含む外径よりも大きく形成された。このため、補助電極先端ガイドが、被めっき物のエッジ部分に当接しても、補助電極スペーサを被めっき物のエッジ部分から離して、スペーサ突起部が引っ掛かることがない。このため、補助電極を被めっき物の内部に挿入あるいは取り出す作業が容易となる。
【００２１】
請求項４の本発明は、補助電極先端ガイドの固定は、補助電極先端ガイドと近接したスペーサ突起部と補助電極先端ガイドとを一体に形成して固定された長尺物の内面めっき用の補助電極である。
【００２２】
請求項４の本発明は、補助電極先端ガイドの固定は、補助電極先端ガイドと近接したスペーサ突起部と補助電極先端ガイドとを一体に形成して固定された。このため、補助電極の先端部分で補助電極先端ガイドと補助電極スペーサが一体となり、確実に固定されて、補助電極先端ガイドが補助電極の先端部分から外れることがない。
【００２３】
請求項５の本発明は、補助電極先端ガイドは、先端側が略球形である長尺物の内面めっき用の補助電極である。
【００２４】
請求項５の本発明では、補助電極先端ガイドは、先端側が略球形であるため、補助電極を屈曲した被めっき物であるフィラーパイプ等に挿入した場合には、補助電極先端ガイドが被めっき物のエッジ部分に当接しつつ、先端側の球形の部分が被めっき物のエッジ部分を容易に滑りつつ、その後、補助電極先端ガイドの側面がスペーサ突起部を被めっき物のエッジ部分から離して、引っ掛かることがない。このため、補助電極を被めっき物の内部に挿入あるいは取り出す作業が容易となる。
【００２５】
請求項６の本発明は、補助電極先端ガイドは、先端側が略多角錐である内面めっき用の補助電極である。
【００２６】
請求項６の本発明では、補助電極先端ガイドは、先端側が略多角錐であるため、補助電極を屈曲した被めっき物であるフィラーパイプ等に挿入した場合には、補助電極先端ガイドが被めっき物のエッジ部分に当接しつつ、先端側の略多角錐の部分が被めっき物のエッジ部分を容易に滑りつつ、その後、補助電極先端ガイドの側面がスペーサ突起部を被めっき物のエッジ部分から離して、引っ掛かることがない。このため、補助電極を被めっき物の内部に挿入あるいは取り出す作業が容易となる。
【００２７】
請求項７の本発明は、補助電極先端ガイドは、先端側が略円錐である長尺物の内面めっき用の補助電極である。
【００２８】
請求項７の本発明では、補助電極先端ガイドは、先端側が略円錐であるため、補助電極を屈曲した被めっき物であるフィラーパイプ等に挿入した場合には、補助電極先端ガイドが被めっき物のエッジ部分に当接しつつ、先端側の略円錐の部分が被めっき物のエッジ部分を容易に滑りつつ、その後、補助電極先端ガイドの側面がスペーサ突起部を被めっき物のエッジ部分から離して、引っ掛かることがない。このため、補助電極を被めっき物の内部に挿入あるいは取り出す作業が容易となる。
【００２９】
請求項８の本発明は、補助電極先端ガイドは、先端側が略楕円体形である長尺物の内面めっき用の補助電極である。
【００３０】
請求項８の本発明では、補助電極先端ガイドは、先端側が略楕円体形であるため、補助電極を屈曲した被めっき物であるフィラーパイプ等に挿入した場合には、補助電極先端ガイドが被めっき物のエッジ部分に当接しつつ、略楕円体形の部分が被めっき物のエッジ部分を容易に滑る。その後、補助電極先端ガイドの側面がスペーサ突起部を被めっき物のエッジ部分から離して、引っ掛かることがない。このため、補助電極を被めっき物の内部に挿入あるいは取り出す作業が容易となる。
【００３１】
請求項９の本発明は、補助電極先端ガイドは、先端側が略円柱形である長尺物の内面めっき用の補助電極である。
【００３２】
請求項９の本発明では、補助電極先端ガイドは、先端側が略円柱形であるため、補助電極を屈曲した被めっき物であるフィラーパイプ等に挿入した場合には、補助電極先端ガイドが被めっき物のエッジ部分に当接しつつ、先端側面のコーナー部を滑り、その後、補助電極先端ガイドの側面である略円柱形の側面の部分が被めっき物のエッジ部分を容易に滑る。そして、スペーサ突起部を被めっき物のエッジ部分から離して、引っ掛かることがない。このため、補助電極を被めっき物の内部に挿入あるいは取り出す作業が容易となる。
【００３３】
請求項１０の本発明は、管状物品の内部に補助電極が挿入されたときに、補助陽極が管状物品の内面に接触しないで、且つスペーサ突起部同士が重なり合わない密度で巻き付けられる長尺物の内面めっき用の補助電極である。
【００３４】
請求項１０の本発明では、管状物品の内部に補助電極が挿入されたときに、補助陽極が管状物品の内面に接触しないで、且つスペーサ突起部同士が重なり合わない密度で巻き付けられる。このため、スペーサ突起部が外方に突出して、補助電極の外形の一部が突出することがなく、補助電極の可撓性を維持して、補助電極を管状物品の内部に挿入しやすくし、補助陽極が管状物品の内面に接触しないようにすることができる。
【００３５】
請求項１１の本発明は、補助電極先端ガイドとスペーサ突起部は、非導電性の合成樹脂又はセラミックで形成され、スペーサ連結部は非導電性の合成繊維又は合成樹脂で形成された長尺物の内面めっき用の補助電極である。
【００３６】
請求項１１の本発明では、補助電極先端ガイドとスペーサ突起部は、非導電性の合成樹脂又はセラミックで形成され、スペーサ連結部は非導電性の合成繊維又は合成樹脂で形成されている。このため、補助電極先端ガイドとスペーサ突起部が、管状物品の内面に接触しても摩擦が少なく挿入性に優れるとともに、めっき液に浸漬しても腐食することが少なく、耐久性に優れている。
スペーサ連結部は非導電性の合成繊維又は合成樹脂で形成されているため、可撓性に優れ、補助陽極に巻き付けることが容易である。また、材質を適正に選択すれば、例えば、ポリプロピレン樹脂を使用すれば、めっき液に浸漬しても強度が低下することが少なく、耐久性に優れている。
【００３７】
請求項１２の本発明は、補助陽極は、金属製の多数のワイヤーを編んで形成された長尺物の内面めっき用の補助電極である。
【００３８】
請求項１２の本発明では、補助陽極は、金属製の多数のワイヤーを編んで形成されたため、可撓性と強度に優れ、管状物品の内部に補助電極を挿入するときに一方の端から挿入して他方の端まで押し込むことが容易である。
【発明の効果】
【００３９】
補助電極の先端に、非導電性の補助電極先端ガイドを取付ける。補助電極を屈曲した被めっき物に挿入した場合には、補助電極先端ガイドが被めっき物のエッジ部分に当接しつつ補助電極を奥へ案内して、スペーサ突起部を被めっき物のエッジ部分から離して、引っ掛かることがない。このため、補助陽極を被めっき物の内部に挿入あるいは取り出す作業が容易となる。
【図面の簡単な説明】
【００４０】
【図１】本発明の実施の形態で使用するめっき装置の概念図である。
【図２】本発明の実施の形態で使用するめっきハンガーの側面図である。
【図３】本発明の実施の形態である補助電極を管状物品の内部に使用した状態の断面図である。
【図４】本発明の実施の第１の形態である補助電極の先端部分の一部拡大平面図である。
【図５】本発明の実施の第１の形態である補助電極の先端部分において、補助電極スペーサの先端をバンドで締結した一部拡大平面図である。
【図６】本発明の実施の第１の形態である補助電極の先端部分において、補助電極スペーサの先端を補助電極先端ガイドで保持した一部拡大平面図である。
【図７】本発明の実施の第２の形態である補助電極の補助電極先端ガイドの先端部分の一部拡大正面図である。
【図８】本発明の実施の第３の形態である補助電極の補助電極先端ガイドの先端部分の一部拡大正面図である。
【図９】本発明の実施の第４の形態である補助電極の補助電極先端ガイドの先端部分の一部拡大正面図である。
【図１０】本発明の実施の第５の形態である補助電極の補助電極先端ガイドの先端部分の一部拡大正面図である。
【図１１】従来の補助電極の使用状態を示す断面図である。
【図１２】従来の他の補助電極の使用状態を示す断面図である。
【図１３】従来の他の補助電極の全体を示す斜視図である。
【図１４】従来の他の補助電極一部拡大正面図である。
【発明を実施するための形態】
【００４１】
本発明の実施の形態について、管状物品である自動車用のフィラーパイプ２０の内面に亜鉛めっきをする場合を例に取り、そのめっきに使用する補助電極１０とめっきについて、図１〜図１０に基づき説明する。
なお、本発明の補助電極１０は、管状物品の内面にめっきをする場合に広く使用することができる。また、亜鉛めっき以外の他のめっきにも使用することができる。
【００４２】
フィラーパイプ２０等の管状物品は、図１に示すように行われる。
めっき槽１内にめっき液２が入れられて、めっき液２内には水酸化ナトリウム及びシアン化ナトリウムと亜鉛イオンが含まれている。さらに、めっき槽１内には亜鉛板で形成される陽電極３、４が挿入され、被めっき物であるフィラーパイプ２０の内部には補助電極１０が挿入されている。補助電極１０については後述する。
なお、フィラーパイプ２０は、めっき工程の前に、脱脂工程、洗浄工程により表面を清浄にされる。
【００４３】
陽電極３、４には、陽極リード線５が取り付けられ、補助電極１０には補助陽極リード線６が取り付けられている。フィラーパイプ２０には陰極リード線７が取り付けられている。陽極リード線５と補助陽極リード線６はめっき電流の供給装置（図示せず）の陽極に、陰極リード線７はめっき電流の供給装置の陰極に接続されて、供給装置から電流が供給されてめっきが行われる。
【００４４】
このとき、フィラーパイプ２０はめっき槽１内に並んで多数浸漬されて、めっきが行われるが、めっき槽１内のフィラーパイプ２０の保持は図２に示すように行われる。
フィラーパイプ２０は、めっきハンガー３０に取り付けられてめっき槽１内に浸漬される。めっきハンガー３０は、陰極板３１と陽極板３５から構成され、陰極板３１と陽極板３５は中央付近で相互に絶縁されて接合されている。
【００４５】
陰極板３１の上方の先端は、断面略Ｕ字形に曲げられて陰極板係合部３２を形成している。陰極板係合部３２は、めっき槽１に設けられた陰極バー８に係合され、めっきハンガー３０とフィラーパイプ２０は、めっき槽１内に保持される。陰極バー８には供給装置から陰極電流が供給され、めっきハンガー３０の陰極板３１と電気的に接続される。
【００４６】
陰極板３１の下方の先端には陰極板保持部３３が形成され、管状物品であるフィラーパイプ２０が保持される。陰極板保持部３３は、フィラーパイプ２０を保持するとともに、フィラーパイプ２０に陰極電流を供給し、フィラーパイプ２０の外周面部と内面（フィラーパイプ内面２１）を電気めっきすることができる。
フィラーパイプ２０の保持は、開口部を有するリング状に形成された陰極板保持部３３に嵌め込んで保持したり、フィラーパイプ２０の外面に形成されたブリーザーパイプ等に引っ掛けたりしてもよい。
【００４７】
陽極板３５の上方の先端は、陽極板接続部３６を形成し、陽極板接続部３６を介して供給装置から陽極電流が供給される。陽極板３５の下方の先端は、陽極板端部３７が形成され、陽極板端部３７には、後述する補助電極１０の先端に形成される補助電極端部１５が補助電極止め具１６に取りつけられる。これにより、陽極板３５から陽電流が補助電極１０に供給される。
【００４８】
次に、第１の実施の形態の補助電極１０とフィラーパイプ２０について、図２〜図６に基づき説明する。
フィラーパイプ２０は、図３に示すように、フィラーパイプ内面２１の上部に燃料を注入する注入部２２が設けられ、下方には自動車の車体の形状に沿って、屈曲部２３が２箇所形成されている。屈曲部２３の数は、自動車の車体に形状に応じて変化する。注入部２２は燃料注入ガン（図示せず）を保持するために内部に張出した注入張出部２４が形成され、注入張出部２４の中央には注入口２５が形成されている。
【００４９】
補助電極１０は、図４に示すように、線状の可撓性を有する導電体で形成される補助陽極１１と、補助陽極１１に巻き付けられる補助電極スペーサ１２から構成される。
補助陽極１１は、ステンレススチール等の金属製の多数のワイヤーを編んで形成される。このため、可撓性と強度に優れ、管状物品であるフィラーパイプ２０の内部に補助電極１０を挿入するときに注入部２２から挿入して、屈曲部２３が複数個存在しても、フィラーパイプ２０の形状に応じて、フィラーパイプ内面２１に沿って、他方の出口端まで押し込むことが容易である。また、めっき液２のアルカリ性にも耐久性を有することができる。
【００５０】
補助陽極１１は、金属製の多数のワイヤー以外でも、可撓性と導電性を有するものであれば使用することができる。
なお、図２に示すように、補助陽極１１の上側の先端には、上述したように補助電極端部１５が形成され、補助電極端部１５には、貫通孔が形成され、この貫通孔に補助陽極止め具１６が挿入され、陽極板端部３７の孔にネジ、クリップ等で取り付けられる。
【００５１】
補助電極スペーサ１２は、非導電性で球状、楕円体状、円柱状又は多角柱状のスペーサ突起部１４と複数のスペーサ突起部１４を、間隔を置いて長手方向に連続して紐状に連結する可撓性のスペーサ連結部１３から長尺状に形成される
このため、スペーサ突起部１４が可撓性を有しなくても、補助電極スペーサ１２全体を可撓性にすることができ、補助陽極１１の外周に長尺状の補助電極スペーサ１２を巻きつけることができる。そして、補助電極スペーサ１２は、補助陽極１１がフィラーパイプ２０の内面に接触することを防止して、フィラーパイプ２０の内面に確実にめっきを施すことができる。
【００５２】
補助電極スペーサ１２のスペーサ突起部１４は、非導電性で球状、楕円体状、円柱状又は多角柱状等の形状を有する。第１の実施の形態では、図４に示すように、円柱状のスペーサ突起部１４であるが、他の形状のもの、例えば上述の球状、楕円体状を使用することができる。
スペーサ突起部１４は、補助電極１０がフィラーパイプ２０の内部に挿入されたときに、屈曲部があっても非導電性で球状のスペーサ突起部１４がフィラーパイプ内面２１に当接して、補助陽極１１がフィラーパイプ内面２１に接触することを防止することができる。このため、補助電極１０により確実にフィラーパイプ内面２１の電気めっきをすることができる。
【００５３】
また、スペーサ突起部１４は、球状、楕円体状、円柱状又は多角柱状であるため、その表面がスムースであり、補助電極１０をフィラーパイプ２０の内部に挿入するときに、フィラーパイプ内面２１に対して摩擦が少なく、摺動しやすく、補助電極１０をフィラーパイプ２０に挿入する作業が容易である。
【００５４】
また、フィラーパイプ２０の内部に注入張出部２４があっても、補助電極１０を挿入したり、引き抜いたりするときに、後述するように、補助電極先端ガイド１８により、スペーサ突起部１４が注入張出部２４に引っ掛かることがなく、補助電極１０の挿入、引き抜きの作業性がよい。
さらに、スペーサ突起部１４は、球状、楕円体状、円柱状又は多角柱状であるため、エッジ部分がなく、フィラーパイプ内面２１と接触しても磨耗して削れることがなく、磨耗したものがめっき表面に付着することもない。
【００５５】
スペーサ突起部１４は、球状、楕円体状、円柱状又は多角柱状であるため、スペーサ突起部１４がフィラーパイプ内面２１と接触する面積が少なく、フィラーパイプ内面２１のめっき状態を均一にすることができる。さらに、スペーサ突起部１４を剛性が高く変形しないものを使用した場合は、フィラーパイプ内面２１に対する補助陽極１１の位置が変化しないため、フィラーパイプ内面２１のめっきの付き具合を均一にすることができる。
【００５６】
スペーサ突起部１４は、非導電性の合成樹脂又はセラミックで形成されることが好ましい。例えば、合成樹脂では、ポリアセタール、ポリエチレン、ポリプロピレン、ナイロン等を使用することができる。合成樹脂又はセラミックを使用することができるためフィラーパイプ内面２１に接触しても摩擦が少なく挿入性に優れるとともに、めっき液２に浸漬しても腐食することが少なく、耐久性に優れている。
【００５７】
補助電極スペーサ１２のスペーサ突起部１４は、スペーサ突起部１４の中心にスペーサ突起部孔が形成される。スペーサ突起部孔に紐状のスペーサ連結部１３を挿入し、スペーサ突起部１４を、それぞれ間隔を置いて長手方向に連続してスペーサ連結部１３により紐状に連結する。
【００５８】
このため、スペーサ突起部１４が可撓性を有しなくても、補助電極スペーサ１２全体を可撓性にして、補助陽極１１の外周に長尺状の補助電極スペーサ１２を巻きつけることができ、スペーサ突起部１４を補助陽極１１の所定の位置に保持することができる。また、後述するように、スペーサ突起部１４が所定の範囲内でスペーサ連結部１３に沿ってずれることができる。
【００５９】
スペーサ連結部１３は、非導電性の合成繊維又は合成樹脂で形成されている。例えば、合成繊維ではポリエステル等を使用することができ、合成樹脂ではポリエチレン、ポリプロピレン等を使用することができる。このため、可撓性に優れ、補助電極スペーサ１２を補助陽極１１に容易に巻き付けることができ、引張強度が強く、めっき液に浸漬しても強度が低下することが少なく、耐久性に優れている。
上記のように、スペーサ突起部１４とスペーサ連結部１３を異なる材質のもので製造することができるため、スペーサ突起部１４は硬度が大きく、フィラーパイプ内面２１をスムースに摺動する材料を、スペーサ連結部１３は可撓性に優れた材料を、それぞれに選択することができる。そのため、摺動性と可撓性に優れた補助陽極１１を得ることができる。
【００６０】
図４に示すように、補助陽極１１の外周には、複数の補助電極スペーサ１２が、スペーサ連結部１３同士が重なるように巻き付けられる第１の実施の形態では、２本の補助電極１０が網目状に重なるように巻き付けられて、スペーサ連結部１３同士が網目状に重なり合っている。
【００６１】
補助電極スペーサ１２を補助陽極１１に巻き付けた時に、スペーサ連結部１３同士が網目状に重なり合っており、スペーサ突起部１４がその重なりを乗り越えて移動することがなく、スペーサ突起部１４が大きくずれないようにすることができる。そのため、スペーサ突起部１４を所定の間隔で保持して、補助陽極１１が管状物品の内面に接触しないようにすることができる。
そして、補助電極１０をフィラーパイプ２０に挿入するときに、スペーサ突起部１４がフィラーパイプ内面２１と接触しても、スペーサ突起部１４を補助陽極１１の表面に所定の間隔で保持して、補助陽極１１がフィラーパイプ内面２１に接触しないようにすることができる。
【００６２】
なお、補助陽極１１に補助電極スペーサ１２を巻き付けるには、フィラーパイプ２０の内部に補助電極１０が挿入されたときに、補助陽極１１がフィラーパイプ内面２１に接触しないで、且つスペーサ突起部１４同士が重なり合わない密度で巻き付けられる。これによって、スペーサ突起部１４同士が重なって、スペーサ突起部１４が補助電極１０の径方向に突出して、補助電極１０の全体の外径を大きくすることがなく、補助電極１０の可撓性を維持して、補助電極１０をフィラーパイプ内面２１の内部に挿入しやすくし、補助陽極１１がフィラーパイプ内面２１に接触しないようにすることができる。
【００６３】
まず、本発明の第１の実施形態の補助電極先端ガイド１８について図４乃至図６に基づき説明する。
図４に示すように、補助電極１０の先端に、非導電性の補助電極先端ガイド１８を取付ける。第１の実施の形態では，補助電極先端ガイド１８は球状である。補助電極先端ガイド１８の球状の外径（図４に示すＡ）は、補助電極スペーサ１２が補助陽極１１巻き付けられた補助電極１０の補助電極スペーサ１２を含む外径（図４に示すＢ）よりも大きい方が望ましいが、小さくても本発明は実施することができる。なお、補助陽極１１の外径は、図４に示すＣである。
【００６４】
補助電極先端ガイド１８の外径を補助電極スペーサ１２が巻き付けられた補助電極１０の補助電極スペーサ１２を含む外径よりも大きく形成した場合には、補助電極先端ガイド１８が、補助電極１０のスペーサ突起部１２をフィラーパイプ２０のエッジ部分から充分に離すことができ、スペーサ突起部１２が引っ掛かることがない。このため、補助電極１０をフィラーパイプ２０の内部に挿入あるいは取り出す作業が容易となる。
補助電極先端ガイド１８の外径を補助電極スペーサ１２が巻き付けられた補助電極１０の補助電極スペーサ１２を含む外径よりも小さく形成した場合においても、補助電極先端ガイド１８がフィラーパイプ２０の内部をスムースに進入するため、補助電極１０をフィラーパイプ２０に挿入することは容易である。
【００６５】
補助電極１０を屈曲した管状物品で被めっき物であるフィラーパイプ２０に挿入した場合には、補助電極先端ガイド１８がフィラーパイプ２０のエッジ部分に当接しつつ補助電極１０を奥へ案内して進む。即ちまず、補助電極先端ガイド１８の補助電極先端ガイド先端側面１８ａがフィラーパイプ２０のエッジ部分（例えば、注入張出部２４や屈曲部２３）に当接して、その後、球形の表面を滑り、さらに、補助電極先端ガイド側面１８ｃがフィラーパイプ２０のエッジ部分に当接して、さらに補助電極先端ガイド後側面１８ｂがフィラーパイプ２０のエッジ部分に当接する。
【００６６】
そうすると、補助電極先端ガイド１８が、補助電極１０を挿入するときに、補助電極先端ガイド１８がスペーサ突起部１４の部分をフィラーパイプ２０のエッジ部分から離して、スペーサ突起部１４がエッジ部分に引っ掛かることがない。このため、補助電極１０をフィラーパイプ２０の内部に挿入あるいは取り出す作業が容易となる。
【００６７】
本発明の第１の実施の形態では、補助電極先端ガイド１８は、略球形であるため、補助電極１０をフィラーパイプ２０から取出す場合でも、補助電極先端ガイド１８がフィラーパイプ２０のエッジ部分に引っ掛かることがない。このため、補助電極１０をフィラーパイプ２０の内部に挿入あるいは取り出す作業が容易となる。なお、補助電極先端ガイド１８の先端側を球状に形成し、後側を円錐形や多角錐形状に形成することもできる。この場合でも、補助電極先端ガイド１８がフィラーパイプ２０のエッジ部分に引っ掛かることがない。
【００６８】
図４に示すように、第１の実施の形態では、補助電極先端ガイド１８は、補助電極スペーサ１２の補助電極先端ガイド１８と近接した最先端のスペーサ突起部１４と一体に形成されている。この形成は、補助電極先端ガイド１８を別に成形した後に、最先端のスペーサ突起部１４や補助陽極１１と合わせて接着してもよく、補助電極先端ガイド１８を形成するときに、スペーサ突起部１４を金型に入れて型成形することもできる。このため、補助電極１０の先端部分で補助電極先端ガイド１８とスペーサ突起部１４が一体となり、補助電極先端ガイド１８が補助電極１０の先端部分から外れることがない。
【００６９】
なお、図５に示すように、補助電極先端ガイド１８とスペーサ突起部１４を一体に形成する代わりに、補助電極スペーサ１２の補助電極先端ガイド１８側の先端を補助電極先端ガイド１８に近接して設けられた締結バンド１９で固定することができる。この場合には、補助電極スペーサ１８の先端部分は、補助電極先端ガイド１８に近接した部分でスペーサ連結部１３が固定される。そのため、補助電極スペーサ１２の先端部分が補助陽極１１からほつれることがなく、補助電極先端ガイド１８がフィラーパイプ２０内を移動することを妨げることがない。
【００７０】
また、図６に示すように、補助電極先端ガイド１８とスペーサ突起部１４を一体に形成する代わりに、補助電極先端ガイド１８を２分割して、補助電極先端ガイド上部１８ｄと補助電極先端ガイド下部１８ｅを形成し、それぞれの内部にスペーサ突起部１４を収納する補助電極先端ガイド凹部１８ｆ、１８ｆを設けることができる。そしてこの場合には、補助電極先端ガイド凹部１８ｆ、１８ｆに、それぞれ補助電極スペーサ１２の先端のスペーサ突起部１４、１４を収納して、補助電極先端ガイド上部１８ｄと補助電極先端ガイド下部１８ｅを合体させる。この場合においても、補助電極スペーサ１８の先端部分は、補助電極先端ガイド１８によりスペーサ連結部１３が固定される。そのため、補助電極スペーサ１２が補助陽極１１からほつれることがなく、補助電極先端ガイド１８がフィラーパイプ２０内を移動することを妨げることがない。
【００７１】
補助電極先端ガイド１８は、スペーサ突起部１４と同様に、非導電性の合成樹脂又はセラミックで形成することができる。この場合は、補助電極先端ガイド１８とスペーサ突起部１４が、フィラーパイプ２０の内面に接触しても摩擦が少なく挿入性に優れるとともに、めっき液に浸漬しても腐食することが少なく、耐久性に優れている。
【００７２】
次に、本発明の第２の実施形態について図７に基づき説明する。第２の実施形態では、補助電極先端ガイド１８の形状が異なり、他の部分は第１の実施の形態と同様であるため、異なる部分を説明し、同様な部分の説明は省略する。第２の実施形態では、補助電極先端ガイド１８は、先端側が略四角錐で後側が略四角錐である。なお、先端側も後側も多角錐であれば、三角錐や五角錐等の多角錐を使用することができる。
また、先端側が四角錐で後側が三角錐や五角錐等の多角錐や円錐、球形を使用することもできる。
【００７３】
補助電極先端ガイド１８は、先端側が略四角錐で後側が略四角錐、三角錐や五角錐等の多角錐や円錐、球形であるため、補助電極１０を屈曲したフィラーパイプ２０に挿入した場合には、補助電極先端ガイド１８の補助電極先端ガイド先端側面１８ａがフィラーパイプ２０のエッジ部分に当接しつつ、補助電極先端ガイド側面１８ｃが略四角錐の部分がフィラーパイプ２０のエッジ部分を容易に滑りつつ、スペーサ突起部１４をフィラーパイプ２０のエッジ部分から離して、引っ掛かることがない。また、後側である補助電極先端ガイド後側面１８ｂが略四角錐等であるため、補助電極１０を取出す場合でも、補助電極先端ガイド１８がフィラーパイプ２０のエッジ部分に引っ掛かることがない。このため、補助電極１０をフィラーパイプ２０の内部に挿入あるいは取り出す作業が容易となる。
【００７４】
次に、本発明の第３の実施形態について図８に基づき説明する。第３の実施形態では、補助電極先端ガイド１８の形状が異なり、他の部分は第１の実施の形態と同様であるため、異なる部分を説明し、同様な部分の説明は省略する。第３の実施形態では、補助電極先端ガイド１８は、先端側が略円錐で後側が略円錐である。なお、第２の実施の形態と同様に、後側が三角錐や五角錐等の多角錐や球形を使用することもできる。
【００７５】
補助電極先端ガイド１８は、先端側が略円錐で後側が略円錐、三角錐や四角錐等の多角錐や球形であるため、補助電極１０を屈曲したフィラーパイプ２０に挿入した場合には、補助電極先端ガイド１８の補助電極先端ガイド先端側面１８ａがフィラーパイプ２０のエッジ部分に当接しつつ、補助電極先端ガイド先端側面１８ａがフィラーパイプ２０のエッジ部分を容易に滑りつつ、さらに、補助電極先端ガイド側面１８ｃを滑り、スペーサ突起部１４をフィラーパイプ２０のエッジ部分から離して、引っ掛かることがない。また、後側である補助電極先端ガイド後側面１８ｂが略円錐であるため、補助電極１０を取出す場合でも、補助電極先端ガイド後側面１８ｂがフィラーパイプ２０のエッジ部分に引っ掛かることがない。このため、補助電極１０をフィラーパイプ２０の内部に挿入あるいは取り出す作業が容易となる。
【００７６】
次に、本発明の第４の実施形態について図９に基づき説明する。第４の実施形態では、補助電極先端ガイド１８の形状が異なり、他の部分は第１の実施の形態と同様であるため、異なる部分を説明し、同様な部分の説明は省略する。第４の実施形態では、補助電極先端ガイド１８は、略楕円体形である。なお、第２の実施の形態と同様に、後側が三角錐や五角錐等の多角錐や円錐、球形を使用することもできる。
【００７７】
補助電極先端ガイド１８は、略楕円体形であるため、補助電極１０を屈曲したフィラーパイプ２０に挿入した場合には、補助電極先端ガイド１８がフィラーパイプ２０のエッジ部分に当接しつつ、略楕円体形の補助電極先端ガイド先端側面１８ａがフィラーパイプ２０のエッジ部分を容易に滑りつつ、さらに、補助電極先端ガイド側面１８ｃを滑り、スペーサ突起部１４をフィラーパイプ２０のエッジ部分から離して、引っ掛かることがない。また、略楕円体形のため、補助電極１０を取出す場合でも、補助電極先端ガイド後側面１８ｂがフィラーパイプ２０のエッジ部分に引っ掛かることがない。このため、補助電極１０をフィラーパイプ２０の内部に挿入あるいは取り出す作業が容易となる。
【００７８】
次に、本発明の第５の実施形態について図１０に基づき説明する。第５の実施形態では、補助電極先端ガイド１８の形状が異なり、他の部分は第１の実施の形態と同様であるため、異なる部分を説明し、同様な部分の説明は省略する。第５の実施形態では、補助電極先端ガイド１８は、略円柱形である。なお、第２の実施の形態と同様に、後側が三角錐や五角錐等の多角錐や円錐、球形を使用することもできる。
【００７９】
補助電極先端ガイド１８は、略円柱形であるため、略円柱形であるため、補助電極１０を屈曲したフィラーパイプ２０に挿入した場合には、補助電極先端ガイド１８の補助電極先端ガイド先端側面１８ａがフィラーパイプ２０のエッジ部分に当接しつつ、補助電極先端ガイド先端側面１８ａがフィラーパイプ２０のエッジ部分を滑る。その後、補助電極先端ガイド先端側面１８ａのコーナー部を滑った後に、略円柱形の補助電極先端ガイド側面１８ｃの部分がフィラーパイプ２０のエッジ部分を容易に滑りつつ、スペーサ突起部１４をフィラーパイプ２０のエッジ部分から離して、引っ掛かることがない。補助電極先端ガイド先端側面１８ａは平面状であるがコーナー部は丸みを帯びており、フィラーパイプ２０のエッジ部分を滑ることができる。また、略円柱形のため、補助電極１０を取出す場合でも、補助電極先端ガイド後側面１８ｂのコーナー部は丸みを帯びており、又は後側が三角錐や五角錐等の多角錐や円錐、球形であるため、補助電極先端ガイド後側面１８ｂがフィラーパイプ２０のエッジ部分に引っ掛かることがない。このため、補助電極１０をフィラーパイプ２０の内部に挿入あるいは取り出す作業が容易となる。
【符号の説明】
【００８０】
１  めっき槽
２  めっき液
１０  補助電極
１１  補助陽極
１２  補助電極スペーサ
１３  スペーサ突起部
１４  スペーサ連結部
１８  補助電極先端ガイド
２０  フィラーパイプ（管状物品）
２１  フィラーパイプ内面
【図１】
0005807962.tif 000002
【図２】
0005807962.tif 000003
【図３】
0005807962.tif 000004
【図４】
0005807962.tif 000005
【図５】
0005807962.tif 000006
【図６】
0005807962.tif 000007
【図７】
0005807962.tif 000008
【図８】
0005807962.tif 000009
【図９】
0005807962.tif 000010
【図１０】
0005807962.tif 000011
【図１１】
0005807962.tif 000012
【図１２】
0005807962.tif 000013
【図１３】
0005807962.tif 000014
【図１４】
0005807962.tif 000015